(57)【要約】【課題】高定格のヒュージブルリンクに対して低定格の回路の追加要求がある場合に柔軟に対応することのできるヒューズユニットを提供する。【解決手段】高定格の端子群を備えたヒュージブルリンク１と低定格ヒューズボックス２０とからなり、低定格ヒューズボックスが、ヒュージブルリンクの補助端子に連結される電源側接続端子２１と、負荷側に接続される負荷側接続端子２２と、電源側接続端子及び負荷側接続端子を保持するホルダ２３と、ホルダに着脱自在に装着されることで電源側接続端子及び負荷側接続端子を電気的に相互接続する低電流ヒューズ２５とを備えている。【選択図】図１
2014203528.tif 000002
【特許請求の範囲】
【請求項１】
定格値を決める可溶体を一体に成形したバスバーによって構成される高定格の端子群を備えたヒュージブルリンクと、
前記ヒュージブルリンクより電流の流れ方向の下流側に配置され、前記ヒュージブルリンクの端子群の中の１つの端子に着脱自在に連結され、前記ヒュージブルリンクよりも低い定格値に設定された低定格ヒューズボックスと、からなり、
前記低定格ヒューズボックスが、前記ヒュージブルリンクの端子群の中の前記１つの端子に連結される電源側接続端子と、負荷側に接続される少なくとも１つの負荷側接続端子と、前記電源側接続端子及び前記負荷側接続端子を保持する絶縁材料製のホルダと、該ホルダに着脱自在に装着されることで前記電源側接続端子及び前記負荷側接続端子を電気的に相互接続する前記可溶体よりも定格電流値の低い低電流ヒューズと、を備えている
ことを特徴とするヒューズユニット。
【請求項２】
前記低定格ヒューズボックスの前記電源側接続端子と、該電源側接続端子が着脱自在に接続される前記ヒュージブルリンクの前記端子とが、オスメス嵌合するオス端子とメス端子の一方及び他方として構成されていることを特徴とする請求項１に記載のヒューズユニット。
【発明の詳細な説明】
【技術分野】
【０００１】
本発明は、主として車載バッテリと負荷側機器との間に介在されるヒューズユニットに関するものである。
【背景技術】
【０００２】
自動車の車載バッテリと負荷側機器との間には一般にヒュージブルリンクが設けられている。ヒュージブルリンクは、複数の負荷につながる複数の分岐回路を備えており、分岐回路ごとに定格電流の異なるヒューズにより回路の保護を行うようになっている。この場合、１つの電源側端子（電流の流れ方向の上流側に位置する上流側端子）から、それぞれヒューズ機能を果たす可溶体を介して、複数に分岐する負荷側接続端子（電流の流れ方向の下流側に位置する下流側端子）までの回路が、連鎖状にプレス成形された１枚のバスバーによって構成されている。
【０００３】
図３（ａ）は特許文献１に開示された従来のヒュージブルリンクの外観構成の一例を示し、図３（ｂ）はその回路構成を示している。図３（ａ）に示すヒュージブルリンク１０１は、配線回路を構成するバスバー１１０と、バスバー１１０と一体化するようにインサート成形された樹脂製ハウジング１０２とからなる。バスバー１１０は、上流側端子１１と、可溶体（ヒューズ）１４、１５を介して連鎖状に上流側端子１１に接続された下流側端子１２、１３とを有し、全体が一体にプレス成形されている。
【０００４】
図３（ａ）では、可溶体１４、１５は直接見えないが、樹脂製ハウジング１０２に形成された窓部の中に配置されている。また、下流側端子１２、１３には、負荷側接続端子を接続するためのスタッドボルト１２ａ、１３ａが設けられている。樹脂製ハウジング１０２は、バスバー１１０の各端子１１〜１３や可溶体１４、１５を露出させた状態で、その他の部分を覆うように設けられている。
【先行技術文献】
【特許文献】
【０００５】
【特許文献１】特開２０１０−２４５００１号公報
【発明の概要】
【発明が解決しようとする課題】
【０００６】
ところで、バスバー上に一体的に可溶体を構成するヒュージブルリンクでは、可溶体の定格電流値が、バスバーを構成する金属材料の導電率や可溶体のサイズなどで決まるため、定格電流値の大幅に異なる可溶体の組み合わせを作ることはできない。例えば、図３（ｂ）に示すように、１４０Ａと８０Ａの可溶体１４、１５の組み合わせは作ることが可能であるが、図３（ｃ）に示すように、大幅に定格電流の異なる１４０Ａと７．５Ａの可溶体１４、１５の組み合わせを作ることは難しい。
【０００７】
このように可溶体の組み合わせについて制限があるため、特に低定格の回路の増設や増設する回路の変更が難しく、様々な定格回路の追加要求に柔軟に応えることができなかった。
【０００８】
本発明は、上述した事情に鑑みてなされたものであり、その目的は、高定格のヒュージブルリンクに対して低定格の回路の追加要求がある場合に柔軟に対応することのできるヒューズユニットを提供することにある。
【課題を解決するための手段】
【０００９】
本発明の上記目的は、下記の構成により達成される。
（１）  定格値を決める可溶体を一体に成形したバスバーによって構成される高定格の端子群を備えたヒュージブルリンクと、
前記ヒュージブルリンクより電流の流れ方向の下流側に配置され、前記ヒュージブルリンクの端子群の中の１つの端子に着脱自在に連結され、前記ヒュージブルリンクよりも低い定格値に設定された低定格ヒューズボックスと、からなり、
前記低定格ヒューズボックスが、前記ヒュージブルリンクの端子群の中の前記１つの端子に連結される電源側接続端子と、負荷側に接続される少なくとも１つの負荷側接続端子と、前記電源側接続端子及び前記負荷側接続端子を保持する絶縁材料製のホルダと、該ホルダに着脱自在に装着されることで前記電源側接続端子及び前記負荷側接続端子を電気的に相互接続する前記可溶体よりも定格電流値の低い低電流ヒューズと、を備えている
ことを特徴とするヒューズユニット。
【００１０】
（２）  前記低定格ヒューズボックスの前記電源側接続端子と、該電源側接続端子が着脱自在に接続される前記ヒュージブルリンクの前記端子とが、オスメス嵌合するオス端子とメス端子の一方及び他方として構成されていることを特徴とする上記（１）に記載のヒューズユニット。
【００１１】
上記（１）の構成のヒューズユニットによれば、ヒュージブルリンクと、ヒュージブルリンクの端子の１つに着脱自在に接続される低定格ヒューズボックスとからなるので、低定格ヒューズボックスの中の低電流ヒューズを適当に選択して装着することにより、ヒュージブルリンクを高定格に保ちながら、低定格の回路の追加要求に短時間で柔軟に対応することができる。また、既存のヒュージブルリンクをそのまま用いながら、低定格の回路の追加要求に対応できるので、金型コストが余分にかかる等の問題もない。
【００１２】
上記（２）の構成のヒューズユニットによれば、低定格ヒューズボックスの電源側接続端子と該電源側接続端子が着脱自在に接続されるヒュージブルリンクの端子とがオスメス嵌合端子として形成されているので、低定格ヒューズボックスの着脱が容易であり、低定格の回路の追加要求に容易に対応できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【発明の効果】
【００１４】
本発明によれば、高定格のヒュージブルリンクを使用しながら、特に低定格の回路の追加要求にコストをかけずに柔軟に対応することができる。
【図面の簡単な説明】
【００１５】
【図１】図１は本発明の第１実施形態の説明図で、図１（ａ）は第１実施形態のヒューズユニットのヒューズボックス装着前の状態を示す斜視図、図１（ｂ）は同ヒューズボックス装着後の状態を示す斜視図、図１（ｃ）は第１実施形態のヒューズボックスにて構成したヒューズ回路の回路図である。
【図２】図２は本発明の第２実施形態の説明図で、図２（ａ）は第２実施形態のヒューズユニットのヒューズボックス装着前の状態を示す斜視図、図２（ｂ）は第２実施形態のヒューズボックスにて構成したヒューズ回路の回路図である。
【図３】図３は従来のヒュージブルリンクの説明図で、図３（ａ）は従来のヒュージブルリンクの外観斜視図、図３（ｂ）は同ヒュージブルリンクで構成したヒューズ回路の回路図、図３（ｃ）は同ヒュージブルリンクでは実現が困難な可溶体の組み合わせを示すヒューズ回路の回路図である。
【発明を実施するための形態】
【００１６】
以下、本発明の実施形態を図面を参照して説明する。
図１は第１実施形態の説明図で、図１（ａ）は第１実施形態のヒューズユニットのヒューズボックス装着前の状態を示す斜視図、図１（ｂ）は同ヒューズボックス装着後の状態を示す斜視図、図１（ｃ）は第１実施形態のヒューズボックスにて構成したヒューズ回路の回路図である。
【００１７】
図１（ａ）及び図１（ｂ）に示すように、本実施形態のヒューズユニットは、定格値を決める可溶体１４、１５を一体に成形したバスバー１０によって構成される高定格の端子群（後述）及び樹脂製ハウジング２を備えたヒュージブルリンク１と、ヒュージブルリンク１より電流の流れ方向の下流側に配置され、ヒュージブルリンク１の端子群の中の１つの端子に着脱自在に連結され、ヒュージブルリンク１よりも低い定格値に設定された低定格ヒューズボックス２０と、から構成されている。
【００１８】
ヒュージブルリンク１のバスバー１０は、端子群として、バッテリに接続される取付孔１１ａ付きの上流側端子１１と、可溶体１４、１５を介して上流側端子１１に接続されると共に負荷側に接続される２つの下流側端子１２、１３と、上流側端子１１に直接導通接続された補助端子１８と、を有している。下流側端子１２、１３にはスタッドボルト１２ａ、１３ａが設けられている。また、補助端子１８は、低定格ヒューズボックス２０が着脱自在に接続されるオスメス嵌合端子のオス端子として構成されている。
【００１９】
また、低定格ヒューズボックス２０は、ヒュージブルリンク１の端子群の中の補助端子１８に連結される電源側接続端子２１と、負荷側に接続される単数又は複数（図示例では３つ）の負荷側接続端子２２と、これら電源側接続端子２１及び負荷側接続端子２２を保持する樹脂製（絶縁材料製）のホルダ２３と、ホルダ２３に着脱自在に装着されることで電源側接続端子２１及び負荷側接続端子２２を電気的に相互接続する、ヒュージブルリンク１の可溶体１４、１５よりも大幅に定格電流値の低い低電流ヒューズ２５と、を備えている。
【００２０】
ここで、図１（ｃ）に示すように、ヒュージブルリンク１の可溶体１４、１５の定格電流は、例えば、８０Ａとか１４０Ａという大きな値に設定されている。一方、低電流ヒューズ２５は、可溶体１４、１５の定格電流よりも大幅に小さい７．５Ａ〜３０Ａ程度に設定されている。これらの低電流ヒューズ２５としては、ブレードヒューズ（例えば、低背ヒューズ）やカートリッジタイプのヒューズが用いられており、互いに異なる定格値のものが装着されている。
【００２１】
電源側接続端子２１はホルダ２３の側面から突出する形で設けられており、ヒュージブルリンク１のオス型の補助端子１８に嵌合できるメス端子として構成されている。
【００２２】
次に作用を説明する。
高定格のヒュージブルリンク１に対して、低定格のヒューズ回路の追加要求がある場合は、図１（ｂ）に示すように、低定格ヒューズボックス２０をヒュージブルリンク１の補助端子１８に装着する。そうすることにより、ヒュージブルリンク１の高定格の下流側端子１２、１３とは別に、低定格の負荷側接続端子２２を簡単に用意することができる。従って、低定格の回路の追加要求に短時間で柔軟に対応することができる。
【００２３】
また、ヒュージブルリンク１に補助端子１８が付いている既存のヒュージブルリンク１がある場合は、既存のヒュージブルリンク１をそのまま用いながら、低定格の回路の追加要求に対応できるので、金型コストが余分にかかる等の問題もない。また、この実施形態では、バッテリに接続される上流側端子１１と可溶体を介さずに直接導通関係にある補助端子１８にヒューズボックス２０を接続するので、上流側端子１１にぶら下がる形で、低定格ヒューズボックス２０をヒュージブルリンク１に接続することができる。
【００２４】
また、低定格ヒューズボックス２０の電源側接続端子２１とヒュージブルリンク１の補助端子１８とがオスメス嵌合端子として構成されているので、低定格ヒューズボックス２０の着脱が容易であり、低定格の回路の追加要求に容易に対応できる。
【００２５】
図２は本発明の第２実施形態の説明図で、図２（ａ）は第２実施形態のヒューズユニットのヒューズボックス装着前の状態を示す斜視図、図２（ｂ）は第２実施形態のヒューズボックスにて構成したヒューズ回路の回路図である。
【００２６】
図２（ａ）に示すように、第２実施形態のヒューズユニットでは、図３に示した既存のヒュージブルリンク１０１を直接用い、そのヒュージブルリンク１０１と低定格ヒューズボックス２０Ｂとを組み合わせている。
【００２７】
ヒュージブルリンク１０１の下流側端子１２、１３にはスタッドボルト１２ａ、１３ａが設けられており、低定格ヒューズボックス２０Ｂの電源側接続端子２６は、いずれかの下流側端子１２、１３に接続できるようになっている。即ち、この低定格ヒューズボックス２０Ｂの電源側接続端子２６は、スタッドボルト１２ａ（又は１３ａ）に嵌まる嵌合孔２６ａを有し、スタッドボルト１２ａにナットを螺合することで、下流側端子１２に締結される板状端子として構成されている。
【００２８】
本実施形態の場合も、高定格のヒュージブルリンク１０１に対して、低定格のヒューズ回路の追加要求がある場合は、低定格ヒューズボックス２０Ｂをヒュージブルリンク１０１の下流側端子１２にスタッドボルト１２ａを用いて接続する。そうすることにより、ヒュージブルリンク１０１の高定格の下流側端子１２に下流側に、低定格の負荷側接続端子２２を簡単に用意することができる。従って、低定格の回路の追加要求に短時間で柔軟に対応することができる。
【００２９】
また、既存のヒュージブルリンク１０１をそのまま用いながら、低定格の回路の追加要求に対応できるので、金型コストが余分にかかる等の問題もない。また、この実施形態では、低定格ヒューズボックス２０Ｂの電源側接続端子２６をヒュージブルリンク１０１の下流側端子１２に接続することにより、可溶体１４を介して上流側端子１１に接続された下流側端子１２にぶら下がる形で、低定格ヒューズボックス２０Ｂをヒュージブルリンク１０１に接続することができる。
【００３０】
また、低定格ヒューズボックス２０Ｂの電源側接続端子２６をヒュージブルリンク１０１の下流側端子１２にスタッドボルト１２ａを用いて締結できるので、他の負荷側接続端子（図示せず）と低定格ヒューズボックス２０Ｂの電源側接続端子２６とを重ねて共締めすることができ、低定格ヒューズボックス２０Ｂの装着の容易化が図れる。
【００３１】
低定格ヒューズボックス２０Ｂは、ヒュージブルリンク１０１の他方の下流側端子１３に装着してもよい。また、更に別の低定格ヒューズボックスを用意して、両方の下流側端子１２、１３に低定格ヒューズボックスを装着してもよい。
【００３２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３３】
ここで、上述した本発明に係るヒューズユニットの実施形態の特徴をそれぞれ以下［１］〜［５］に簡潔に纏めて列記する。
【００３４】
［１］  定格値を決める可溶体（１４、１５）を一体に成形したバスバー（１０、１１０）によって構成される高定格の端子群を備えたヒュージブルリンク（１、１０１）と、
前記ヒュージブルリンク（１、１０１）より電流の流れ方向の下流側に配置され、前記ヒュージブルリンク（１、１０１）の端子群の中の１つの端子（１８、１２、１３）に着脱自在に連結され、前記ヒュージブルリンク（１、１０１）よりも低い定格値に設定された低定格ヒューズボックス（２０、２０Ｂ）と、からなり、
前記低定格ヒューズボックス（２０、２０Ｂ）が、前記ヒュージブルリンク（１、１０１）の端子群（１１、１２、１３、１８）の中の前記１つの端子（１８、１２、１３）に連結される電源側接続端子（２１、２６）と、負荷側に接続される少なくとも１つの負荷側接続端子（２２）と、前記電源側接続端子（２１、２６）及び前記負荷側接続端子（２２）を保持する絶縁材料製のホルダ（２３）と、該ホルダ（２３）に着脱自在に装着されることで前記電源側接続端子（２１、２６）及び前記負荷側接続端子（２２）を電気的に相互接続する前記可溶体（１４、１５）よりも定格電流値の低い低電流ヒューズ（２５）と、を備えている
ことを特徴とするヒューズユニット。
【００３５】
［２］  前記低定格ヒューズボックス（２０）の前記電源側接続端子（２１）と、該電源側接続端子（２１）が着脱自在に接続される前記ヒュージブルリンク（１）の前記端子（１８）とが、オスメス嵌合するオス端子とメス端子の一方及び他方として構成されていることを特徴とする上記［１］に記載のヒューズユニット。
【００３６】
［３］  前記低定格ヒューズボックス（２０Ｂ）の前記電源側接続端子（２６）が着脱自在に接続される前記ヒュージブルリンク（１０１）の前記端子（１２、１３）がスタッドボルト（１２ａ、１３ａ）を有しており、前記低定格ヒューズボックス（２０Ｂ）の前記電源側接続端子（２６）が、前記スタッドボルト（１２ａ、１３ａ）に嵌まる嵌合孔（２６ａ）を有し該スタッドボルト（１２ａ、１３ａ）にナットを螺合することで前記ヒュージブルリンク（１０１）の前記端子（１２、１３）に締結される板状端子として構成されていることを特徴とする上記［１］に記載のヒューズユニット。
【００３７】
［４］  前記ヒュージブルリンク（１）の前記バスバー（１０）が、前記端子群として、バッテリに接続される上流側端子（１１）と、前記可溶体（１４、１５）を介して前記上流側端子（１１）に接続されると共に負荷側に接続される下流側端子（１２、１３）と、前記上流側端子（１１）に直接導通接続された補助端子（１８）とを有しており、前記補助端子（１８）が、前記低定格ヒューズボックス（２０）の前記電源側接続端子（２１）が着脱自在に接続される端子として構成されていることを特徴とする上記［１］〜［３］のいずれか１つに記載のヒューズユニット。
【００３８】
［５］  前記ヒュージブルリンク（１０１）の前記バスバー（１１０）が、前記端子群として、バッテリに接続される上流側端子（１１）と、前記可溶体（１４、１５）を介して前記上流側端子（１１）に接続されると共に負荷側に接続される前記下流側端子（１２、１３）とを有しており、前記下流側端子（１２、１３）の１つが、前記低定格ヒューズボックス（２０、２０Ｂ）の前記電源側接続端子（２６）が着脱自在に接続される端子として構成されていることを特徴とする上記［１］〜［３］のいずれか１つに記載のヒューズユニット。
【符号の説明】
【００３９】
１  ヒュージブルリンク
１０  バスバー
１１  上流側端子
１２，１３  下流側端子
１４，１５  可溶体
２０，２０Ｂ  低定格ヒューズボックス
２１  電源側接続端子
２２  負荷側接続端子
２３  ホルダ
２５  低電流ヒューズ
２６  電源側接続端子
１０１  ヒュージブルリンク
１１０  バスバー
【図１】
2014203528.tif 000003
【図２】
2014203528.tif 000004
【図３】
2014203528.tif 000005